(57)【特許請求の範囲】
【請求項１】
前面部に開口部を有するボックス本体と、前記開口部を閉止する蓋体とで構成され、
前記ボックス本体は、
その開口部の下部に指挿入部を形成するとともに、その先端部を、水平状態で内方に所要幅で延出させたのち、上方に起立させて防御壁を形成し、
前記蓋体は、
前記開口部と相対する裏面下方に、先端部が前記防御壁と当接し、かつ少なくとも前記指挿入部の上部および左右の一部を、それぞれ覆うことのできる閉止部材を有し、
前記指挿入部からボックス本体内に侵入しようとする害虫などを、前記閉止部材で阻止するよう構成したこと
を特徴とする収容ボックス。
【請求項２】
前記ボックス本体は、
その開口部上縁に、前記蓋体を回動自在に保持する支軸を有する蓋装着部が設けられ、
前記蓋体は、
その上縁部に、前記支軸を支点として上下方向に回動可能に保持する支軸保持部が、前記ボックス本体側に開口させて設けられていること
を特徴とする請求項１に記載の収容ボックス。
【請求項３】
前記防御壁は、
前記ボックス本体の開口部下部の全域に亘って形成されていること
を特徴とする請求項１又は２に記載の収容ボックス。
【請求項４】
前記指挿入部は、
前記開口部の下縁のほぼ中央部に形成されていること
を特徴とする請求項１又は２に記載の収容ボックス。
【請求項５】
前記閉止部材は、
先端部が前記防御壁と当接するとともに、横幅が前記指挿入部の横幅と対応し、その裏面の左右端部に、前記防御壁よりも低い高さの側面板を垂設した板状体の基端部を、前記ボックス本体の指挿入部と相対する、前記蓋体の裏面に突設させて構成されていること
を特徴とする請求項１又は２に記載の収容ボックス。
【請求項６】
前記閉止部材は、
前記ボックス本体の指挿入孔の左右の側面に形成された、それぞれ高さが前記防御壁よりも低い高さの側壁に対して、前記各側壁の頂部と当接するよう前記蓋体の裏面に突設された板状体として構成されていること
を特徴とする請求項１又は２に記載の収容ボックス。
【請求項７】
前記閉止部材は、
前記ボックス本体の指挿入孔の左右の側面に、それぞれ高さが前記防御壁より低い高さの側壁を形成し、前記側壁の内側面と当接する側面板を、その裏面側に垂設した板状体を前記蓋体の裏面に突設させて構成されていること
特徴とする請求項１又は２に記載の収容ボックス。
【発明の詳細な説明】
【技術分野】
【０００１】
この発明は、収容ボックスに関するものである。
より詳しくは、計器類、特に水道メータ用の収容ボックスにおいて、蓋体に形成される開口部から、虫（害虫）や小動物などが、内部に侵入することを確実に防止することのできる収容ボックスに関するものである。
【背景技術】
【０００２】
従来、水道の検針用メータ（水道メータ）や、散水栓などの計器類を収容する収容ボックスがある。
このような収容ボックスとしては、地中に埋設するタイプのものが一般的であるが、地域によっては、住宅などの外壁面に埋設するタイプのものがある。
【０００３】
例えば、特開２００１−１０８５０５号公報（特許文献１）では、凍結による水道メータの故障を防止でき、長期の機械的安定性を保証でき、しかも住宅外観とよく調和させ得る水道メータボックスが提案されている。
【０００４】
この特許文献１に記載の水道メータボックスは、前面に扉を有し、コンクリート壁の前面に埋め込まれ内部に水道メータが収容されるもので、長繊維で補強された独立気泡の合成樹脂発泡板により製作されていることを特徴とするものである。
【０００５】
さらに、実用新案登録第３１２１０１２号公報（特許文献２）では、メータの交換作業性がよく、検診時などに発見し易い水道用量水容器が提案されている。
【０００６】
この特許文献２に記載の水道用量水容器は、容器本体と、この容器本体に開閉自在に取り付けられた蓋とを有し、前記容器本体には、壁面取付部が設けられていることを特徴とするものである。
【０００７】
なお、前面に扉を有する収容ボックスの他の例として、特開２００４−２４５２４号公報（特許文献３）では、取出し扉は簡単には開かないように構成されたもので、郵便物の盗難の抑止を図ることができる、郵便ポストが提案されている。
【０００８】
この特許文献３に記載の郵便ポストは、投函された郵便物を内部に収容する箱状の本体部を有し、この本体部に郵便物を取り出す取出口を形成し、この取出口を開閉自在にする取出し扉の上端部を、本体部に上下回転自在に軸支してなるもので、取出し扉の内面下端に内方に突出する突起部を幅方向に部分的に設け、本体部の底壁に突起部が係止する突起受け部を幅方向に部分的に設け、幅方向にスライドさせた取出し扉の突起部が突起受け部に対応する位置からずれるように、取出し扉を幅方向に移動自在にしたものである。
【先行技術文献】
【特許文献】
【０００９】
【特許文献１】特開２００１−１０８５０５号公報（特許請求の範囲，図１，３）
【特許文献２】実用新案登録第３１２１０１２号公報（実用新案登録請求の範囲，図１）
【特許文献３】特開２００４−２４５２４号公報（特許請求の範囲，図１，２）
【発明の開示】
【発明が解決しようとする課題】
【００１０】
外壁面に埋設するタイプの水道メータボックスは、開閉操作を容易にするため、ボックス本体の開口部の下部を切欠いて切欠きからなる指挿入部を形成するとともに、蓋体の下端の該指挿入部に対応する位置に、指掛部を設けている。
しかしながら、前記指挿入部は、ボックス本体の内部と外部とを連通するものであるため、この指挿入部を通って、外部からゴキブリやハエなどの虫、さらには小型のカエルなど小動物などが収容ボックス内に侵入し、内部を汚損するとともに、場合によっては内蔵した計器の働きを阻害するなどの問題を引き起こす。
【００１１】
さらに、前記特許文献１に開示されている水道メータボックスおよび特許文献３に開示されている郵便ポストでは、いずれも前記指挿入部および指掛部を設けないで、扉の表面に開閉のための別製の取っ手を設けている。
したがって、両者ともコストが高くなるとともに、付設した取っ手が表面に顕出しているので、当該取っ手に身体の一部や被服を引っ掛け易く、怪我や被服の損傷が発生し易いという問題があった。
【００１２】
前記特許文献２に記載の水道用量水容器は、容器本体の底部に開口部が形成されているので、この開口部を介して容器本体内に害虫や小動物が侵入し、内部を汚損したり、場合によっては内蔵した計器の働きを阻害するなどの問題を引き起こす。
【００１３】
さらにまた、前記特許文献３に記載の郵便ポストは、取出し扉の開閉は、前記取出し扉の下縁部に突出形成した突起部を、箱状の本体部の底面に設けた突起受け部と係合させる方式を採用しているので、取出し扉の確実な閉止が常に求められ、確実な閉止ができていないと本体部内に害虫や小動物が侵入するなど解決すべき課題を有している。
【００１４】
この発明はかかる現状に鑑み、計器類、特に水道メータなどの収容ボックスにおいて、蓋体に取っ手などの突出物を設けることがなく、しかも、当該収容ボックスに、外部から虫や小動物などが侵入することを防止する機構を設けることによって、害虫などの侵入によるボックス本体内の汚損や機器の損傷あるいは動作異常を、確実に防止することのできる収容ボックスを提供せんとするものである。
【課題を解決するための手段】
【００１５】
前記目的を達成するため、この発明にかかる請求項１に記載の発明は、
前面部に開口部を有するボックス本体と、前記開口部を閉止する蓋体とで構成され、
前記ボックス本体は、
その開口部の下部に指挿入部を形成するとともに、その先端部を、水平状態で内方に所要幅で延出させたのち、上方に起立させて防御壁を形成し、
前記蓋体は、
前記開口部と相対する裏面下方に、先端部が前記防御壁と当接し、かつ少なくとも前記指挿入部の上部および左右の一部を、それぞれ覆うことのできる閉止部材を有し、
前記指挿入部からボックス本体内に侵入しようとする害虫などを、前記閉止部材で阻止するよう構成したこと
を特徴とする収容ボックスである。
【００１６】
この発明の請求項２に記載の発明は、
請求項１に記載の収容ボックスにおいて、
前記ボックス本体は、
その開口部上縁に、前記蓋体を回動自在に保持する支軸を有する蓋装着部が設けられ、
前記蓋体は、
その上縁部に、前記支軸を支点として上下方向に回動可能に保持する支軸保持部が、前記ボックス本体側に開口させて設けられていること
を特徴とするものである。
【００１７】
この発明の請求項３に記載の発明は、
請求項１又は２に記載の収容ボックスにおいて、
前記防御壁は、
前記ボックス本体の開口部下部の全域に亘って形成されていること
を特徴とするものである。
【００１８】
この発明の請求項４に記載の発明は、
請求項１又は２に記載の収容ボックスにおいて、
前記指挿入部は、
前記開口部の下縁のほぼ中央部に形成されていること
を特徴とするものである。
【００１９】
この発明の請求項５に記載の発明は、
請求項１又は２に記載の収容ボックスにおいて、
前記閉止部材は、
先端部が前記防御壁と当接するとともに、横幅が前記指挿入部の横幅と対応し、その裏面の左右端部に、前記防御壁よりも低い高さの側面板を垂設した板状体の基端部を、前記ボックス本体の指挿入部と相対する、前記蓋体の裏面に突設させて構成されていること
を特徴とするものである。
【００２０】
この発明の請求項６に記載の発明は、
請求項１又は２に記載の収容ボックスにおいて、
前記閉止部材は、
前記ボックス本体の指挿入孔の左右の側面に形成された、それぞれ高さが前記防御壁よりも低い高さの側壁に対して、前記各側壁の頂部と当接するよう前記蓋体の裏面に突設された板状体として構成されていること
を特徴とするものである。
【００２１】
この発明の請求項７に記載の発明は、
請求項１又は２に記載の収容ボックスにおいて、
前記閉止部材は、
前記ボックス本体の指挿入孔の左右の側面に、それぞれ高さが前記防御壁より低い高さの側壁を形成し、前記側壁の内側面と当接する側面板を、その裏面側に垂設した板状体を前記蓋体の裏面に突設させて構成されていること
特徴とするものである。
【発明の効果】
【００２２】
この発明の収容ボックスにおいては、前面部が開口するボックス本体と、前記開口部を開閉する蓋体とで構成するに際し、前記ボックス本体は、その開口部の下部の所要幅の指挿入部を形成するとともに、その先端部を水平状態で内方に所要幅で延出させたのち、上方に起立させて防御壁を形成し、前記蓋体は、その裏面下方に、前記防御壁と先端部が当接し、かつ少なくとも前記指挿入部の上部および左右の一部を閉塞する閉止部材が設けられているので、ボックス本体内に侵入しようとする害虫や小動物は、前記閉止部材によってその侵入が阻止される。
よって、前記ボックス本体内が汚損されることがなく、収蔵された計器類も損傷されることがない。
【００２３】
さらに、前記防御壁を、ボックス本体の開口部全域に形成することによって、前記蓋体は、前記防御壁によってボックス本体内への侵入が阻止されるので、蓋体がボックス本体内に不必要に入り込むことがなく、前記防御壁と前記蓋体の当接によって、害虫などのボックス本体内への侵入を阻止することができる。
【００２４】
さらに、前記ボックス本体の前面板に指を挿入するための切欠きからなる指挿入部を形成するとともに、その上部に位置する蓋体の下縁部に指掛部を形成しているので、収容ボックスから突出する取っ手などの突出物を別部材で設ける必要性がなく、デザイン性に優れ、安全性が高く、かつコストの廉価な収容ボックスを提供することができる。
【図面の簡単な説明】
【００２５】
【図１】この発明にかかる害虫防除機能を有する収容ボックスの正面部の半截図である。
【図２】図１に示す収容ボックスの要部の正面側の斜視図である。
【図３】図１に示す要部の裏面側の斜視図である。
【図４】図中、（Ａ）〜（Ｄ）は、いずれも害虫防除機能を構成する他の実施例の要部を示すものであって、（Ａ）は、ボックス本体に設けた一対の側壁と、この側壁間に架橋する板状体からなる閉止部材の例を、（Ｂ）は、ボックス本体に設けた一対の側壁と、この側壁に内接する係合片を板状体からなる閉止部材の例を、（Ｃ）は、ボックス本体に設けた一対の側壁と、この側壁を抱持する係合片を板状体からなる閉止部材の例を、（Ｄ）は、板状体の裏面にボックス本体に形成された指挿入部を跨設する一対の側壁からなる閉止部材の例を示す。
【図５】この発明にかかる収容ボックスの一例を示す斜視図である。
【図６】図５に示す収容ボックスを、ボックス本体と蓋体に分離した状態を示す説明図である。
【図７】図６に示す蓋体の開閉状況を示す説明図である。
【図８】図６に示す蓋体の要部の拡大説明図である。
【発明を実施するための形態】
【００２６】
以下、この発明にかかる収容ボックスの実施の形態を、添付の図面に基づいて具体的に説明する。
なお、この発明の収容ボックスは、図示の実施例に限定されるものではなく、発明の要旨を変更しない範囲内で改良を加えることができるものである。
【００２７】
この発明において、収容ボックス１は、図５および図６に示すように、ボックス本体２と蓋体８とから構成されている。
なお、この実施例においては、前記収容ボックス１はＦＲＰ製であるが、素材については特段の制限はないので、他の樹脂素材や金属素材（例えばステンレス）などで構成してもよい。
【００２８】
前記ボックス本体２は、検針用メータや散水栓など何らかの機能を有する機械や電気機器などを納めるもので、所要の大きさの箱体の前面に開口部２ａを有するものである。
前記開口部２ａの上縁部には、前記蓋体８を装着するための所要の深さの切欠きからなる蓋装着部３，３が形成されるとともに、各蓋装着部３にはそれぞれ支軸４，４が設けられている。
【００２９】
前記蓋体８は、前記ボックス本体２の蓋装着部３，３に装着するため、図６に示すように、その上縁端には、前記ボックス本体２の支軸４，４と対応する位置に、支軸保持部９を有する連結部１０，１０が形成されている。
【００３０】
前記支軸保持部９には、図７に示すように、前記蓋体８を上方に持上げ可能なように、上下方向に保持溝９ａが形成されている。
この支軸保持部９は、その底部を前記支軸４の太さの１／２程度深く掘り下げて形成しているので、前記蓋体８を上方に持上げても、前記支軸４が前記連結部１０から離脱するおそれがない。
【００３１】
さらに、この蓋体８は、図８に示すように、閉止状態で蓋体８が不用意に開閉しないように、前記ボックス本体２の、開口部２ａの下縁部に付設した係合突部２ｃと係合する係合部８ａが下縁部裏面に形成されているので、回動に際しては、前記係合を解除するため蓋体８を上方に持上げる必要がある。
なお、前記ボックス本体２の下縁前面部に、円弧状の傾斜面２ｂを形成することによって、前記蓋体８の閉操作に際し、蓋体８の下部前縁部が前記傾斜面２ｂにガイドされ、円滑に蓋体８を閉方向に導くことができる。
【００３２】
さらに、前記係合突部２ｃの背面部に、段部２ｄを介して下部前面部の側壁を下り傾斜面２ｅを形成することによって、前記蓋体８の下部底面との当接面を少なくすることが開方向への操作を容易なものとしている。
反面、前記蓋体８の開操作に際しては、当該蓋体８の下縁部の先端が、前記段部２ｄ方向に移動するにしたがって、前記下り傾斜面２ｅの基端側と当接するため摩擦が大きくなって、蓋体８の急激な開放を阻止することができる。
【００３３】
さらにまた、前記蓋体８は、その下端表面の、前記ボックス本体２の指挿入部６と対応する位置に、図６で明らかなように、切欠きからなる所要の大きさの指掛部１１が形成され、前記指挿入部６および指掛部１１を利用して、蓋体８の開閉を容易に行うことができるよう構成されている。
【００３４】
一方、前記ボックス本体２の開口部２ａの下部の前面板５のほぼ中央部には、図２〜３に示されるように、内方に向かって、開口部２ａに装着される前記蓋体８の下端部を、指先で上方に持ち上げるための、切欠きからなる所要の大きさの指挿入部６が形成されている。
【００３５】
他方、前記開口部２ａの下部前縁部には、図２および図３で明らかなように、前記前面板５の先端部を水平に延出させるとともに、その先端縁を上方に起立させて所要高さの防御壁７を形成したものである。
なお、前記防御壁７は、この実施例においては、開口部２ａの下部前縁部の全域に形成されているが、少なくとも前記指挿入部６の幅と同程度の幅を有するものであればよい。
【００３６】
かかる構成の収容ボックス１において、この発明は、害虫などが前記ボックス本体２の前面板５の中央部に形成した、前記蓋体８を開くための指挿入部６からボックス本体２内部に侵入することを防止する構成を採用している。
【００３７】
すなわち、図３に示す閉止部材１２は、前記ボックス本体２の指挿入部６と相対する蓋体８の裏面に、先端部が前記防御壁７と当接するとともに、前記指挿入部６の横幅とほぼ等しいか、やや幅広の板状体１２ａと、前記板状体１２ａの左右の端面を閉止する側面板１２ｂ，１２ｂからなるもので、前記指挿入部６と相対する蓋体８の下部を指掛部１１としたものである。
したがって、前記閉止部材１２は、前記板状体１２ａの先端縁を防御壁７に当接させることで、左右の側面板１２ｂ，１２ｂが指挿入部６の左右端部を閉止するので、害虫などがボックス本体２内に侵入することを確実に防止することができる。
【００３８】
その際、前記防御壁７を、開口部２ａの下部前縁部の全域に形成することによって、前記蓋体８の下縁部が防御壁７と当接するので、蓋体８が前記ボックス本体２に入り過ぎることを防止するストッパーの役割を果たすため、前記蓋体８がボックス本体２内に必要以上に入り込むことがない。
さらに、前記ボックス本体２に指挿入部６が形成されていても、前記指挿入部６あるいは防御壁７と蓋体８の当接する部位から害虫などが侵入するおそれがない。
【００３９】
なお、前記蓋体８に設ける前記閉止部材６は、少なくとも虫などが通過しない大きさの網目を有する網部材で形成してもよい。
【００４０】
さらにまた、前記閉止部材１２の他の例を、図４に基づいて説明する。
図中、（Ａ）に示す閉止部材１２は、前記ボックス本体２の指挿入部６の左右に、先端部が前記防御壁７と当接し、高さが、閉止部材１２を構成する板状体１２ａの板厚分だけ低い防御壁７よりも低い側面板ＳＷ，ＳＷを立設し、前記側面板ＳＷ，ＳＷの頂部と当接する板状体１２ａの基端部を、蓋体８の裏面の所要位置に突出形成して閉止部材としたものである。
したがって、指挿入部６の上部および左右の側面部は、閉止部材１２によって指挿入部６の開口部以外の３辺が完全に閉止され、害虫などがボックス本体２内に侵入することがない。
【００４１】
図中、（Ｂ）に示す閉止部材１２は、前記ボックス本体２の指挿入部６の左右に、基端が前記防御壁７と当接し、高さが、閉止部材１２を構成する板状体１２ａの板厚分だけ低い防御壁７よりも低い側面板ＳＷ，ＳＷを立設し、前記側面板ＳＷの頂部と当接する板状体１２ａの裏面に、前記各側面板ＳＷの内側面と当接する側面板１２ｂ，２ｂを、前記蓋体８の裏面の所要位置に突出形成して構成したものである。
【００４２】
図中、（Ｃ）に示す閉止部材１２は、前記ボックス本体２の指挿入部６の左右に、基端が前記防御壁７と当接し、高さが、閉止部材１２を構成する板状体１２ａの板厚分だけ低い側面板ＳＷ，ＳＷを立設し、かつ前記指挿入部６の左右の各側面板ＳＷを上方から挟持可能な、断面が逆Ｕ字状のスリットを有する側面板１２ｂ，２ｂを、前記蓋体８の裏面の所要位置に突出形成して構成したものである。
【００４３】
図中、（Ｄ）に示す閉止部材１２は、基端が前記防御壁７と当接し、高さが前記防御壁７よりも、閉止部材１２を構成する板状体１２ａの板厚分だけ低く、かつ先端麺が前記指挿入部６の開口縁部と当接する側面板１２ｂ，１２ｂを下面に垂設した板状体１２ａを、前記蓋体８の裏面の所要位置に突出形成して構成したものである。
【００４４】
かかる構成からなる収容ボックス１では、前記ボックス本体２の開口部２ａを開放する場合、ボックス本体２に形成した指挿入部６と相対する蓋体８の下縁部を上方に持上げることによって、蓋体８の連結部１０に係合保持された支軸４が下方に移動し、前記支軸４を支点として前記蓋体８を上方に回動させることができる。
なお、前記ボックス本体２の開口部２ａを蓋体８で閉止する場合は、その逆である。
【産業上の利用可能性】
【００４５】
この発明にかかる収容ボックスは、外部から虫や小動物などが収容ボックス内に侵入することを抑止することができるので、計器類、特に水道メータを収容するための収容ボックスとして幅広く利用されるものである
【符号の説明】
【００４６】
１          収容ボックス
２          ボックス本体
２ａ        開口部
２ｂ        傾斜面
２ｃ        係合突部
２ｄ        段部
２ｅ        下り傾斜面
３          蓋装着部
４          支軸
５          前面板
６          指挿入部
７          防御壁
８          蓋体
８ａ        係合部
９          支軸保持部
９ａ        保持溝
１０        蓋体の連結部
１１        指掛部
１２        閉止部材
１２ａ      板状体
１２ｂ      側面板
ＳＷ        側面板
【図１】
0006568390.tif 000002
【図２】
0006568390.tif 000003
【図３】
0006568390.tif 000004
【図４】
0006568390.tif 000005
【図５】
0006568390.tif 000006
【図６】
0006568390.tif 000007
【図７】
0006568390.tif 000008
【図８】
0006568390.tif 000009